(57)【特許請求の範囲】
【請求項１】
主にライト台、ライトユニットを含み、
該ライト台上には少なくとも１個の設置空間を設置し、該各設置空間の両端にはそれぞれ金属筒を設置し、且つ該２個の金属筒は電源出力端のプラス、マイナス極と通電し、
該ライトユニット上には少なくとも１個のＬＥＤを設置し、該ライトユニットの両端にはそれぞれ金属片を設置し、該２枚の金属片は該ライト台の電源入力端で、該２枚の金属片の中央には穿孔を設置し、
上記構造において、該ライト台の設置空間内に設置し、該設置空間両端の金属筒は該ライトユニット両端の金属片の穿孔内に進入し、これにより該ライト台はその両側の金属筒を支点とし回転し、該ライトユニット上のＬＥＤの投射方向を調整することを特徴とする投射光の方向を調整可能なＬＥＤライト。
【請求項２】
請求項１記載の投射光の方向を調整可能なＬＥＤライトにおいて、前記金属筒は管体、２個のナット、金属バネを含み、
該２個のナットはそれぞれ該管体の両端に設置され、且つ該管体の両端はそれぞれ該２個のナットの外周縁を制限するため、該２個のナットは該管体外に出ることはなく、
該金属バネは該２個のナット間に圧縮設置されるため、該２個のナットは圧縮性を具えることを特徴とする投射光の方向を調整可能なＬＥＤライト。
【請求項３】
請求項２記載の投射光の方向を調整可能なＬＥＤライトにおいて、前記ナットの外周直径と該管体内の直径は同一であるため、該ナットの外周と該管体の内壁は接触状を保持することを特徴とする投射光の方向を調整可能なＬＥＤライト。
【請求項４】
請求項１記載の投射光の方向を調整可能なＬＥＤライトにおいて、前記ライトユニットは回路板を含み、該回路板の下方にはそれぞれＬＥＤを固設し、該ＬＥＤ上には金属ライトカバーを嵌設し、該金属ライトカバーの下方には霧面レンズを固設することを特徴とする投射光の方向を調整可能なＬＥＤライト。
【請求項５】
請求項１記載の投射光の方向を調整可能なＬＥＤライトにおいて、前記ライト台は隔絶板を設置する方式により該設置空間の両端に形成され、該隔絶板上には穿孔を設置し、該金属筒を貫通、設置し、且つ該隔絶板内には弾性端子と該金属筒を設置し接触状を保持することを特徴とする投射光の方向を調整可能なＬＥＤライト。
【請求項６】
請求項５記載の投射光の方向を調整可能なＬＥＤライトにおいて、前記ライト台隔絶板内の弾性端子の片側は該銅レールと接触することを特徴とする投射光の方向を調整可能なＬＥＤライト。
【請求項７】
請求項１記載の投射光の方向を調整可能なＬＥＤライトにおいて、前記ライト台は嵌設方式により該２本の銅レール上に設置するため、該ライト台は該銅レールに沿って移動することを特徴とする投射光の方向を調整可能なＬＥＤライト。
【発明の詳細な説明】
【技術分野】
【０００１】
本発明は一種の投射光の方向を調整可能なＬＥＤライトに関する。特に一種のライト台の回転動支点を電源の入力ルートとし、該支点を軸芯として回転させることができ、ＬＥＤ発光源の投射方向を調整可能なＬＥＤライトに係る。
【背景技術】
【０００２】
日常生活において多く目にする照明の光源では蛍光灯、石英管灯、白熱灯、ＰＬライト、水銀灯などがある。これらはみな、広い空間で使用するために設計されており、光源は天井に設置されるという同一の特徴を持つため、実際の使用に当たっては非常に不便である。すなわち書棚、靴箱、クローゼット、パンのショーケース、アクセサリーのショーウィンドーなどの狭小な展示空間では、空間的な制限があるため、伝統的な光源設備を使用することができず、商品の特色を十分に際立たせることができない。
【０００３】
現在常用されている一般の蛍光灯、石英管灯、白熱灯、ＰＬライト、水銀灯などのライトでは、使用の必要の差異によりそれぞれの設置空間があるが、これらライトの体積と外形、或いは発熱の問題は、狭小空間における照明としての需要を満たすことはできない。
【０００４】
上記欠点を改善するため、台湾業界では死角がない状態にまで光源の密度を増すことで対応しているが、これではコストとエネルギーの浪費である。
【０００５】
一方、ＬＥＤは省エネ、高発光効率、コンパクトなどの長所を具えるため、狭小空間における照明に適している。しかし、現在のＬＥＤライト台は設置時に人手による溶接が必要で、かつ位置を動かせないなど使用上の制限がある。
【発明の開示】
【発明が解決しようとする課題】
【０００６】
本発明は下記の投射光の方向を調整可能なＬＥＤライトを提供する。それは主に随意に光源の投射方向を調整可能で、投射光は空間内の隅々まで照射され、
さらにそれは、狭小な空間に適した照明で、ＬＥＤライトユニットの投射光方向を調整することにより、光線を主要な商品に集中させ照射することができる。
【０００７】
またそれは、ＬＥＤの設置が便利でかつ交換が容易であるため、ＬＥＤ照明の実用性を向上させることができる。
【０００８】
すなわちそれは、ライト台、ライトユニットを含み、
該ライト台上には少なくとも１個の設置空間を設置し、該ライトユニットを設置し組合せ、該各設置空間の両端にはそれぞれ隔絶板を設置し、該隔絶板上には金属筒を設置し、  該ライトユニット上には少なくとも１個のＬＥＤを設置し、該ライトユニットの両端にはそれぞれ金属片を設置し、該ライト台の各設置空間両端の金属筒は該ライトユニット両端の金属片上に設置する穿孔内に進入し、該ライト台はその両側の金属筒を支点として回転し、該ライトユニットに設置するＬＥＤの投射方向を調整可能である。
【０００９】
該ライトユニット両端の金属筒はそれぞれ電源出力端のプラス、マイナス極と通電し、該ライトユニット両端の金属片は該ＬＥＤライトの電源入力端で、該ライトユニットの方向を調整すると同時に該各ＬＥＤは発光を保持する。
【００１０】
該金属筒内において圧縮制御するバネはその両端において圧縮状を具えるため、該ライトユニットの設置と取り外しが便利で、該金属片と該金属筒間は良好な接触状態を保持することを特徴とする投射光の方向を調整可能なＬＥＤライトである。
【課題を解決するための手段】
【００１１】
請求項１の発明は、主にライト台、ライトユニットを含み、
該ライト台上には少なくとも１個の設置空間を設置し、該各設置空間の両端にはそれぞれ金属筒を設置し、且つ該２個の金属筒は電源出力端のプラス、マイナス極と通電し、
該ライトユニット上には少なくとも１個のＬＥＤを設置し、該ライトユニットの両端にはそれぞれ金属片を設置し、該２枚の金属片は該ライト台の電源入力端で、該２枚の金属片の中央には穿孔を設置し、
上記構造において、該ライト台の設置空間内に設置し、該設置空間両端の金属筒は該ライトユニット両端の金属片の穿孔内に進入し、これにより該ライト台はその両側の金属筒を支点とし回転し、該ライトユニット上のＬＥＤの投射方向を調整することを特徴とする投射光の方向を調整可能なＬＥＤライトとしている。
請求項２の発明は、請求項１記載の投射光の方向を調整可能なＬＥＤライトにおいて、前記金属筒は管体、２個のナット、金属バネを含み、
該２個のナットはそれぞれ該管体の両端に設置され、且つ該管体の両端はそれぞれ該２個のナットの外周縁を制限するため、該２個のナットは該管体外に出ることはなく、
該金属バネは該２個のナット間に圧縮設置されるため、該２個のナットは圧縮性を具えることを特徴とする投射光の方向を調整可能なＬＥＤライトとしている。
請求項３の発明は、請求項２記載の投射光の方向を調整可能なＬＥＤライトにおいて、前記ナットの外周直径と該管体内の直径は同一であるため、該ナットの外周と該管体の内壁は接触状を保持することを特徴とする投射光の方向を調整可能なＬＥＤライトとしている。
請求項４の発明は、請求項１記載の投射光の方向を調整可能なＬＥＤライトにおいて、前記ライトユニットは回路板を含み、該回路板の下方にはそれぞれＬＥＤを固設し、該ＬＥＤ上には金属ライトカバーを嵌設し、該金属ライトカバーの下方には霧面レンズを固設することを特徴とする投射光の方向を調整可能なＬＥＤライトとしている。
請求項５の発明は、請求項１記載の投射光の方向を調整可能なＬＥＤライトにおいて、前記ライト台は隔絶板を設置する方式により該設置空間の両端に形成され、該隔絶板上には穿孔を設置し、該金属筒を貫通、設置し、且つ該隔絶板内には弾性端子と該金属筒を設置し接触状を保持することを特徴とする投射光の方向を調整可能なＬＥＤライトとしている。
請求項６の発明は、請求項５記載の投射光の方向を調整可能なＬＥＤライトにおいて、前記ライト台隔絶板内の弾性端子の片側は該銅レールと接触することを特徴とする投射光の方向を調整可能なＬＥＤライトとしている。
請求項７の発明は、請求項１記載の投射光の方向を調整可能なＬＥＤライトにおいて、前記ライト台は嵌設方式により該２本の銅レール上に設置するため、該ライト台は該銅レールに沿って移動することを特徴とする投射光の方向を調整可能なＬＥＤライトとしている。
【発明の効果】
【００１２】
本発明は設置と取り外しが容易で、随意に投射光の方向を回転調整させることができ、経済的で実用的な設計である。さらに銅レール上に組合せ使用するため、使用上も利便性が高く理想的な設計である。
【発明を実施するための最良の形態】
【００１３】
ＬＥＤの輝度、寿命、信頼性、製造コストなどは既に商業用照明として必要な条件を満たしており、且つ、省エネでコンパクトという特性を具えている。
図１、２に示すように、本発明はライト台１０、少なくとも１個のライトユニット２０を含む。
該ライト台１０上には少なくとも１個の設置空間１１を設置し、該ライトユニット２０を設置し組み立てる。該ライト台１０上の各設置空間１１の両端には各１個の隔絶板１２を設置し、該隔絶板１２上には貫通孔１３を設置し、金属筒３０を貫通させる。これにより該金属筒３０の両端には該隔絶板１２の両側に突出する。
該ライトユニット２０上には少なくとも１個のＬＥＤ２１を設置し、該ライト台１０の両端にはそれぞれ金属片２２を設置する。該金属片２２の中央には穿孔２３を設置する。該ライト台１０の各設置空間１１両端の金属筒３０は該ライトユニット２０の両端の金属片２２の穿孔２３内に進入し、これにより該ライト台１０は両側の金属筒３０を支点とし回転する。こうして該ライトユニット２０上のＬＥＤ２１の投射方向を調整することができる。
【００１４】
次に図３に示すように、該金属筒３０は管体３１、２個のナット３２、３２、金属バネ３３を含む。
該２個のナット３２、３２はそれぞれ該管体３１の両端に設置し、該金属バネ３３を該ナット３２、３２間に設置する。該管体３１の両端はそれぞれ該ナット３２、３２の外周縁を制限し、これにより該２個のナット３２、３２は該管体３１外に出ることはできなくなる。また該２個のナット３２、３２の外周の直径と該管体３１の内部の直径は同一で、これにより該２個のナット３２、３２は該管体３１に対して相対的な軸方向の移動を行う時、該２個のナット３２、３２外周と該管体３１の内壁の接触状態を保持することができる。
該金属バネ３３の両端は該２個のナット３２、３２と接触し、これにより該２個のナット３２、３２、該金属バネ３３、該管体３１間は通電性を具える。
該金属バネ３３の設置により、該２個のナット３２、３２は圧縮性を具えるが、該ライトユニット２０が該ライト台１０の設置空間１１内に装置される時、該ライトユニット２０の両端は該金属バネ３０のナット３２外壁の斜面により直接圧迫されるため、該ナット３２は該管体３１内に押し込まれ、該ライトユニット２０は設置位置に到達する。該ライトユニット２０両端の金属片２２の穿孔２３は該相互に対応するナット３２に対応すると、該ナット３２はすぐに該金属片２２の穿孔２３内に弾力で嵌入し、該ライトユニット２０は定位される。
該ライトユニット２０を取り外す時には、ペンやドライバーなどの細い棒状物で、該ナット３２を該管体３１内へとやや押し入れるだけで、該ライトユニット２０を取り外すことができる。こうして、本発明は設置と取外しの利便性を具え、該ライトユニット２０の交換が容易である。
【００１５】
該ライト台１０は嵌設方式により２個の導電用銅レール４０、４１上に装置され、これにより該ライト台１０は該銅レール４０、４１に沿ってスライド移動を行う。該２本の銅レール４０、４１は該電源のプラス、マイナス極と接続するが、電源の電圧は１２Ｖが最適である。
該ライト台１０の隔絶板１２内には弾性端子１４（或いは１５）を嵌設し、これにより該銅レール４０（或いは４１）と該隔絶板１２上の金属筒３０は通電し、かつ隣接する該隔絶板１２、１２内の弾性端子１４、１５はそれぞれ異なる銅レール４０、４１と接触する。
該ライトユニット２０の架設に用いる両端の２個の金属筒３０、３０は電源の入力端である。
【００１６】
該ライトユニット２０は回路板２４、少なくとも１個のＬＥＤ２１、２個の金属片２２、２２、霧面レンズ２５を含む。
該回路板２４の下方にはそれぞれ該ＬＥＤ２１を固設し、該各ＬＥＤ２１上には金属ライトカバー２６を嵌設し、該ＬＥＤ２１が発する光をやわらかく遮る。該霧面レンズ２５は該各金属ライトカバー２６の下方に固設し、該ＬＥＤ２１と該金属ライトカバー２６の位置を制限し、該ＬＥＤ２１の光線を分散させ柔らかな光線とする。該２枚の金属片２２、２２は該ライトユニット２０の両端に固定する。該回路板２４上には電源のプラス、マイナス極入力端のほかに回路を含むが、該回路は公知の回路板であるため詳述しない。
該金属ライトカバー２６の上端の該ＬＥＤ２１外に嵌設する部分には破溝槽２７を設置する。これにより拡張性を具え、該ＬＥＤ２１の外部における嵌設の便を図る。また該金属ライトカバー２６の破溝槽２７は該ＬＥＤ２１の散熱にも役割を果たす。
【００１７】
該ライトユニット２０は該ライト台１０に設置後、電源は２本の銅レール４０、４１、２個の弾性端子１４、１５、２個の金属筒３０、３０、２枚の金属片２２、２２を経由し、該ＬＥＤ２１を発光させる回路に入る。
該ライトユニット２０を回転させる時には、該２枚の金属片２２、２２と該２個の金属筒３０、３０は接触状を保持し、該ライトユニット２０は調整中においても回路の通電状態を保持することができ、該ＬＥＤ２１は発光を持続する。該金属筒３０内で圧迫制御する金属バネ３３は該両端の２個のナット３２、３２を圧縮状とし、該金属片２２と該金属筒３０のナット３２間は良好な接触状態が保持される。
【００１８】
該ライト台１０上には複数のライトユニット２０を設置可能で、該各ライトユニット２０は独立し回転し発光方向を調整することができる。該設置空間１１は該２本の銅レール４０、４１上において穿設し、これにより該ライト台１０は該銅レール４０、４１に沿って移動する。該２本の銅レール４０、４１上には複数のライト台１０を設置後はいつでも該各ライト台１０の位置を移動させ、該各ライトユニット２０の投射方向を調整可能であるため、使用に当たり変化に富み、フレキシブルである。
【図面の簡単な説明】
【００１９】
【図１】本発明実施例の分解図である。
【図２】図１が示す実施例の断面表示図である。
【図３】図２の３−３位置における断面図である。
【図４】図２の４−４位置における断面図である。
【符号の説明】
【００２０】
１０  ライト台          １１  設置空間
１２  隔絶板            １３  貫通孔
１４  弾性端子          １５  弾性端子
２０  ライトユニット    ２１  ＬＥＤ
２２  金属片            ２３  穿孔
２４  回路板            ２５  霧面レンズ
２６  金属ライトカバー  ２７  破溝槽
３０  金属筒            ３１  管体
３２  ナット            ３３  金属バネ
４０  銅レール          ４１  銅レール
【図１】
0004637753.tif 000002
【図２】
0004637753.tif 000003
【図３】
0004637753.tif 000004
【図４】
0004637753.tif 000005